(57)【特許請求の範囲】
【請求項１】
サトウキビ搾汁から非加熱処理で不純物を分離除去して不純物含有量５〜３０ｗｔ％の精製搾汁を得る精製工程と、
前記精製搾汁を加熱する搾汁加熱工程と、
引き続き該搾汁加熱工程で発生した搾汁蒸気を噴霧する蒸気噴霧工程とを備える
蒸気浴方法。
【請求項２】
前記非加熱処理は、遠心分離法により行う
請求項１に記載の蒸気浴方法。
【請求項３】
前記搾汁加熱工程は、
沸点に達する前に、前記精製搾汁を沸点よりも低い所定温度に所定時間保持する低温加熱過程を有する
請求項１または請求項２に記載の蒸気浴方法。
【請求項４】
前記低温加熱過程では、
前記精製搾汁を５０〜８０℃で３〜１０分の間保持する
請求項３に記載の蒸気浴方法。
【請求項５】
サトウキビ搾汁を非加熱処理で精製して不純物含有量を５〜３０ｗｔ％とした精製搾汁と、
該精製搾汁を加熱することにより、搾汁蒸気を発生させる蒸気発生装置と、
該蒸気発生装置からの搾汁蒸気を室内に充満させて利用者に浴びせる蒸気浴室とを備える
蒸気浴施設。
【請求項６】
前記非加熱処理は、遠心分離法により行う
請求項５に記載の蒸気浴施設。
【請求項７】
サトウキビ搾汁を非加熱処理で精製して不純物含有量を５〜３０ｗｔ％とした精製搾汁と、
該精製搾汁を貯溜する搾汁タンクと、
該搾汁タンク内の精製搾汁を加熱する搾汁加熱ユニットと、
該搾汁加熱ユニットにより発生した搾汁蒸気を所定位置に向けて噴霧する蒸気噴霧ユニットとを備える
蒸気浴装置。
【請求項８】
前記非加熱処理は、遠心分離法により行う
請求項７に記載の蒸気浴装置。
【発明の詳細な説明】
【技術分野】
【０００１】
本発明は、蒸気浴方法、蒸気浴施設、および蒸気浴装置に関する。詳しくは、サトウキビ搾汁を使用した蒸気浴が、周囲を汚すことなく長時間安定して行える蒸気浴方法、蒸気浴施設、および蒸気浴装置に係わるものである。
【背景技術】
【０００２】
従来より、サトウキビを圧搾して得られたサトウキビ搾汁には、主要成分のショ糖、単糖類などの糖類以外に、カリウム、カルシウム、マグネシウムなどのミネラルや、グリコール酸、ポリフェノール、バニリンなどの有機物が含まれている。
【０００３】
このうちの糖類やミネラルは、起泡性、吸着性、保湿性に優れ、肌への刺激も少ない。更に、グリコール酸は、毛穴への浸透性に優れていて、毛穴内の皮脂を除去すると共に、保湿性にも優れ、ポリフェノールは、抗酸化作用や抗菌作用があって老化や肌荒れを抑制する。加えて、バニリンは、バニラの香りの主成分であって、その芳香は精神安定化作用を有している。
【０００４】
このように、サトウキビ搾汁には、美容や健康増進に有効な各種成分（以下、単に「有効成分」とする）が含まれていることから、サトウキビ搾汁は、砂糖の原料以外に美容や健康の分野にも多用されている。例えば、サトウキビ搾汁を洗浄剤に添加することで、サトウキビ搾汁に含まれている糖類やミネラルにより、洗浄剤の気泡性、低刺激性、洗浄性、保湿性などを向上させる技術が公知となっている（例えば、特許文献１参照）。
【０００５】
一方、化粧水ミストを含む水蒸気を肌に噴霧することで、水蒸気による温熱機能と水分補給機能を有効に発揮させると同時に、蒸気により温められて毛穴が開いた状態の肌に美容成分を効率的に吸収させる技術が公知となっている（例えば、特許文献２参照）。
【０００６】
そして、近年、美容や健康への関心の高まりから、この特許文献２のように従来の蒸気浴を美容や健康増進に更に活用したいとの要求が、ますます強まってきている。そこで、この要求に対しては、前述したサトウキビ搾汁を加熱することにより、通常の化粧水よりも多岐にわたる有効成分を含んだ水蒸気（以下、「搾汁蒸気」とする）を発生させ、この搾汁蒸気を肌に噴霧する、といった対応が考えられる。
【先行技術文献】
【特許文献】
【０００７】
【特許文献１】特開２００４−１６１７２２号公報
【特許文献２】特開２００２−２６３１６２号公報
【発明の概要】
【発明が解決しようとする課題】
【０００８】
しかしながら、サトウキビから絞り出したままのサトウキビ搾汁を加熱していくと、このサトウキビ搾汁に含まれているサトウキビの繊維、葉、種子、付着している塵挨などから成る不純物が核となり、沸騰時に多量の泡が発生する。このため、この泡がサトウキビ搾汁を入れた容器の上端開口から吹きこぼれたり、あるいは弾けて飛散したりして、周囲が汚染されると共に、容器内に残っているサトウキビ搾汁中の水分や有効成分も少なくなって、搾汁蒸気による蒸気浴が可能な時間（以下、「蒸気発生時間」とする）が短くなり、美容や健康改善の効果が充分には得られない。
【０００９】
そこで、蒸気浴の前に、予めサトウキビ搾汁を加熱して不純物を灰汁とし、この灰汁を柄杓や網を使って掬い取ったり濾過したりして除去し、不純物の含有量を低下させたサトウキビ搾汁（以下、「精製搾汁」とする）を使用することが考えられる。
【００１０】
しかし、このように加熱処理（以下、「加熱精製処理」とする）により発生する灰汁を介した不純物除去では、その除去率に限界があるため、蒸気浴時の沸騰による泡の発生を充分には抑制できず、周囲の汚染や蒸気発生時間の短縮を確実には防ぐことができない。
【００１１】
特に、このような加熱精製処理では、サトウキビ搾汁中の水分はもとより各種有効成分も水蒸気と一緒になって外部に多量に放出されるため、容器内に残っている精製搾汁中の水分や有効成分が少なくなって、蒸気発生時間が一層短くなる。
【００１２】
本発明は、以上の点に鑑みて創案されたものであり、サトウキビ搾汁を使用した蒸気浴が、周囲を汚すことなく長時間安定して行える蒸気浴方法、蒸気浴施設、および蒸気浴装置を提供することを目的とする。
【課題を解決するための手段】
【００１３】
上記の目的を達成するために、本発明の蒸気浴方法は、サトウキビ搾汁から非加熱処理で不純物を分離除去して不純物含有量５〜３０ｗｔ％の精製搾汁を得る精製工程と、前記精製搾汁を加熱する搾汁加熱工程と、引き続き該搾汁加熱工程で発生した搾汁蒸気を噴霧する蒸気噴霧工程とを備えている。
【００１４】
そして、サトウキビ搾汁から非加熱処理で不純物を分離除去して精製搾汁を得ることによって、蒸気発生時間が長くなる。すなわち、加熱精製処理を施す場合とは異なり、精製工程中にサトウキビ搾汁中の水分や有効成分が蒸発して外部へ多量に放出されることがなく、水分や有効成分を精製搾汁中に多く残留させることができる。
【００１５】
更に、精製搾汁の不純物含有量を５〜３０ｗｔ％とすることによって、周囲の汚染を防止しつつ、蒸気発生時間を更に長くすることができる。すなわち、不純物含有量を適正範囲に設定することで、蒸気発生時間をある程度確保した上で、泡の発生も充分に抑制することができる。
【００１６】
不純物含有量が５ｗｔ％未満では、泡の発生は抑制されるものの、浴表面の不純物由来の皮膜が少なくて水分や有効成分の蒸発が顕著となるため、蒸気発生時間が短い。一方、不純物含有量が３０ｗｔ％超えでは、不純物が核となって多量の泡が発生するのに加え、粗大な不純物によって発生する泡も大きくなり、これらの泡がサトウキビ搾汁を入れた容器の上端開口から吹きこぼれたり飛散したりして、周囲を汚染すると共に、蒸気浴に寄与する精製搾汁中の水分や有効成分の残量が少なくなって、やはり蒸気発生時間が短くなる。
【００１７】
加えて、精製搾汁を加熱する搾汁加熱工程と、引き続き該搾汁加熱工程で発生した搾汁蒸気を噴霧する蒸気噴霧工程とを備えることによって、美容や健康改善の効果を充分に得ることができる。すなわち、搾汁加熱工程により、サトウキビ搾汁中に含まれる有効成分が水蒸気と一緒になった搾汁蒸気を生成し、引き続く蒸気噴霧工程により、この搾汁蒸気を、高温のままで全身あるいは顔や肘などの部位に浴びせるため、高温の水蒸気による温熱機能、水分補給機能、および成分吸収促進機能が充分に発揮された状態で、目的とする部位に各種有効成分を効率良く吸収させることができる。
【００１８】
また、非加熱処理を遠心分離法により行う場合は、遠心機を使ってサトウキビ搾汁を高速回転して各構成成分に遠心力を加え、密度差を利用して成分毎の相に分離するため、重力を利用した通常のろ過法や沈降分離法に比べ、極めて短時間で不純物を除去することができる。これにより、サトウキビ搾汁の各有効成分が酸化などによって劣化する前に、短時間で精製して次工程の搾汁加熱工程に移行することができ、サトウキビ搾汁中の各種有効成分の特性を充分に引き出して、美容や健康改善の効果が充分に得られる。
【００１９】
更に、遠心機の回転数や回転時間などを調整することにより、サトウキビ搾汁中の不純物の除去率を著しく高めることができる。これにより、従来の加熱精製処理では、不純物含有量が最小で３０ｗｔ％であったのに対し、遠心分離法により行うと、不純物含有量を５ｗｔ％まで減少させることができ、泡の発生を充分に抑制することができる。
【００２０】
また、搾汁加熱工程が、沸点に達する前に、前記精製搾汁を沸点よりも低い所定温度に所定時間保持する低温加熱過程を有する場合は、この低温加熱過程の間に不純物が灰汁として集積し隔離されるため、精製搾汁内で泡の核となる不純物が減少する。これにより、浴温が上昇して沸騰状態に移行しても、泡の発生量が少ない。
【００２１】
また、低温加熱過程で、精製搾汁を５０〜８０℃で３〜１０分の間保持する場合は、精製搾汁の加熱温度と加熱時間を適正範囲に設定することで、蒸気発生時間をある程度確保した上で、泡の発生も充分に抑制することができる。
【００２２】
低温加熱温度が５０℃未満では、灰汁の形成が充分ではなく、精製搾汁中に泡の核となる不純物が多く残存しており、泡の発生をそれほど抑制できない。一方、浴温が８０℃越えでは、熱対流による攪拌のために不純物の集積が充分には行われず、泡の核となる不純物が多く残存するため、同様に、泡の発生をそれほど抑制できない。
【００２３】
低温加熱保持時間が３分未満でも、灰汁の形成が充分ではなく、精製搾汁中に泡の核となる不純物が多く残存しており、泡の発生をそれほど抑制できない。一方、低温保持時間が１０分超えでは、形成された灰汁が成長して浴面の広範囲を覆い、沸騰の際に突沸などが起こって泡が発生しやすくなる。
【００２４】
上記の目的を達成するために、本発明の蒸気浴施設は、サトウキビ搾汁を非加熱処理で精製して不純物含有量を５〜３０ｗｔ％とした精製搾汁と、該精製搾汁を加熱することにより、搾汁蒸気を発生させる蒸気発生装置と、該蒸気発生装置からの搾汁蒸気を室内に充満させて利用者に浴びせる蒸気浴室とを備えている。
【００２５】
そして、サトウキビ搾汁を非加熱処理で精製して不純物を分離除去した精製搾汁を使用することによって、蒸気発生時間が長くなる。すなわち、加熱精製処理を施す場合とは異なり、精製工程中にサトウキビ搾汁中の水分や有効成分が蒸発して外部へ多量に放出されることがなく、水分や有効成分を精製搾汁中に多く残留させることができる。
【００２６】
更に、精製搾汁の不純物含有量を５〜３０ｗｔ％とすることによって、周囲の汚染を防止しつつ、蒸気発生時間を更に長くすることができる。すなわち、不純物含有量を適正範囲に設定することで、蒸気発生時間をある程度確保した上で、泡の発生も充分に抑制することができる。
【００２７】
不純物含有量が５ｗｔ％未満では、泡の発生は抑制されるものの、浴表面の不純物由来の皮膜が少なくて水分や有効成分の蒸発が顕著となるため、蒸気発生時間が短い。一方、不純物含有量が３０ｗｔ％超えでは、不純物が核となって多量の泡が発生するのに加え、粗大な不純物によって発生する泡も大きくなり、これらの泡がサトウキビ搾汁を入れた容器の上端開口から吹きこぼれたり飛散したりして、周囲を汚染すると共に、蒸気浴に寄与する精製搾汁中の水分や有効成分の残量が少なくなって、やはり蒸気発生時間が短くなる。
【００２８】
加えて、搾汁蒸気を発生させる蒸気発生装置と、該蒸気発生装置からの搾汁蒸気を室内に充満させて利用者に浴びせる蒸気浴室とを備えることによって、美容や健康改善の効果を充分に提供することができる。すなわち、蒸気発生装置により、サトウキビ搾汁中に含まれる有効成分が水蒸気と一緒になった搾汁蒸気を生成し、蒸気浴室により、この搾汁蒸気を、高温のままで、蒸気浴室内に待機している利用者の全身に万遍なく浴びせるため、高温の水蒸気による温熱機能、水分補給機能、および成分吸収促進機能が充分に発揮された状態で、利用者の全身に各種有効成分を効率良く吸収させることができる。
【００２９】
また、蒸気浴施設で使用する精製搾汁の非加熱処理を遠心分離法により行う場合は、遠心機を使ってサトウキビ搾汁を高速回転して各構成成分に遠心力を加え、密度差を利用して成分毎の相に分離するため、重力を利用した通常のろ過法や沈降分離法に比べ、極めて短時間で不純物を除去することができる。これにより、サトウキビ搾汁の各有効成分が酸化などによって劣化する前に、短時間で精製して次工程の搾汁加熱工程に移行することができ、サトウキビ搾汁中の各種有効成分の特性を充分に引き出して、美容や健康改善の効果が充分に得られる。
【００３０】
更に、遠心機の回転数や回転時間などを調整することにより、サトウキビ搾汁中の不純物の除去率を著しく高めることができる。これにより、従来の加熱精製処理では、不純物含有量が最小で３０ｗｔ％であったのに対し、遠心分離法により行うと、不純物含有量を５ｗｔ％まで減少させることができ、泡の発生を充分に抑制することができる。
【００３１】
上記の目的を達成するために、本発明の蒸気浴装置は、サトウキビ搾汁を非加熱処理で精製して不純物含有量を５〜３０ｗｔ％とした精製搾汁と、該精製搾汁を貯溜する搾汁タンクと、該搾汁タンク内の精製搾汁を加熱する搾汁加熱ユニットと、該搾汁加熱ユニットにより発生した搾汁蒸気を所定位置に向けて噴霧する蒸気噴霧ユニットとを備えている。
【００３２】
そして、サトウキビ搾汁を非加熱処理で精製して不純物を分離除去した精製搾汁を使用することによって、蒸気発生時間が長くなる。すなわち、加熱精製処理を施す場合とは異なり、精製工程中にサトウキビ搾汁中の水分や有効成分が蒸発して外部へ多量に放出されることがなく、水分や有効成分を精製搾汁中に多く残留させることができる。
【００３３】
更に、精製搾汁の不純物含有量を５〜３０ｗｔ％とすることによって、周囲の汚染を防止しつつ、蒸気発生時間を更に長くすることができる。すなわち、不純物含有量を適正範囲に設定することで、蒸気発生時間をある程度確保した上で、泡の発生も充分に抑制することができる。
【００３４】
不純物含有量が５ｗｔ％未満では、泡の発生は抑制されるものの、浴表面の不純物由来の皮膜が少なくて水分や有効成分の蒸発が顕著となるため、蒸気発生時間が短い。一方、不純物含有量が３０ｗｔ％超えでは、不純物が核となって多量の泡が発生するのに加え、粗大な不純物によって発生する泡も大きくなり、これらの泡がサトウキビ搾汁を入れた容器の上端開口から吹きこぼれたり飛散したりして、周囲を汚染すると共に、蒸気浴に寄与する精製搾汁中の水分や有効成分の残量が少なくなって、やはり蒸気発生時間が短くなる。
【００３５】
加えて、精製搾汁を貯溜する搾汁タンクと、前記搾汁タンク内の精製搾汁を加熱する搾汁加熱ユニットと、該搾汁加熱ユニットにより発生した搾汁蒸気を所定位置に向けて噴霧する蒸気噴霧ユニットとを備えることによって、美容や健康改善の効果を充分に提供することができる。すなわち、搾汁タンクにより、精製搾汁をある程度密閉した状態で貯溜するようにして酸化などによる有効成分の劣化を防止した上で、搾汁加熱ユニットにより、サトウキビ搾汁中に含まれる有効成分が水蒸気と一緒になった搾汁蒸気を生成し、蒸気噴霧ユニットにより、この搾汁蒸気を、高温のままで顔や肘などの所定の部位に集中的に浴びせるため、高温の水蒸気による温熱機能、水分補給機能、および成分吸収促進機能が充分に発揮された状態で、目的とする部位に各種有効成分を効率良く吸収させることができる。
【００３６】
また、蒸気浴装置で使用する精製搾汁の非加熱処理を遠心分離法により行う場合は、遠心機を使ってサトウキビ搾汁を高速回転して各構成成分に遠心力を加え、密度差を利用して成分毎の相に分離するため、重力を利用した通常のろ過法や沈降分離法に比べ、極めて短時間で不純物を除去することができる。これにより、サトウキビ搾汁の各有効成分が酸化などによって劣化する前に、短時間で精製して次工程の搾汁加熱工程に移行することができ、サトウキビ搾汁中の各種有効成分の特性を充分に引き出して、美容や健康改善の効果が充分に得られる。
【００３７】
更に、遠心機の回転数や回転時間などを調整することにより、サトウキビ搾汁中の不純物の除去率を著しく高めることができる。これにより、従来の加熱精製処理では、不純物含有量が最小で３０ｗｔ％であったのに対し、遠心分離法により行うと、不純物含有量を５ｗｔ％まで減少させることができ、泡の発生を充分に抑制することができる。
【発明の効果】
【００３８】
本発明に係わる蒸気浴方法、蒸気浴施設、および蒸気浴装置では、サトウキビ搾汁を使用した蒸気浴が、周囲を汚すことなく長時間安定して行えるものとなっている。
【図面の簡単な説明】
【００３９】
【図１】本発明に係わる蒸気浴プロセスに関する説明図であって、図１（ａ）は蒸気浴プロセスのフローチャート、図１（ｂ）は圧搾機の側面模式図、図１（ｃ）は遠心機の斜視図である。
【図２】搾汁加熱工程における加熱パターンの説明図であって、図２（ａ）は１段加熱の浴温の経時変化を模式的に示すグラフ、図２（ｂ）は２段加熱の浴温の経時変化を模式的に示すグラフ、図２（ｃ）は４段加熱の浴温の経時変化を模式的に示すグラフである。
【図３】加熱時の泡発生量と蒸気発生時間に及ぼす不純物含有量の影響を示すグラフである。
【図４】蒸気浴ハウスの側面一部断面図である。
【図５】美顔器の側面図である。
【図６】美顔器の正面図である。
【発明を実施するための形態】
【００４０】
以下、蒸気浴方法、蒸気浴施設、および蒸気浴装置に関する本発明の実施の形態について、図面を参照しながら説明し、本発明の理解に供する。
なお、図４、図５の矢印Ｆで示す方向を前方とし、矢印Ｔで示す方向を上方とし、以下で述べる各部の位置や方向等は、この前方と上方を基準とするものである。
【００４１】
まず、本発明の蒸気浴方法を適用したプロセスの一例である蒸気浴プロセス１について、図１、図２、図４、図５により説明する。
【００４２】
図１（ａ）に示すように、蒸気浴プロセス１では、初めに、サトウキビ搾汁７を精製して精製搾汁を得る精製工程Ｓ１が行われ、続いて、この精製搾汁を加熱する搾汁加熱工程Ｓ２が行われ、引き続いて、この搾汁加熱工程Ｓ２で発生した搾汁蒸気を噴霧する蒸気噴霧工程Ｓ３が行われる。
【００４３】
なお、精製工程Ｓ１に用いるサトウキビ搾汁７は、脱葉し切断、細裂したサトウキビ５を、図１（ｂ）に示す圧搾機４において図示せぬ電動モータによって回転駆動されるロール６間に挿入し、ロール６間で加圧することにより得られる。そして、このようにして絞り出されたサトウキビ搾汁７は、ロール６下方の搾汁容器８内に滴下して貯溜され、精製工程Ｓ１で使用される。
【００４４】
初めに、精製工程Ｓ１においては、図１（ｃ）に示す遠心機９を使った非加熱処理により、サトウキビ搾汁７から不純物を分離除去して精製搾汁１６を得る。
【００４５】
サトウキビ搾汁７の組成は、重量比で、通常、糖分１０〜１４ｗｔ％、不純物約４０ｗｔ％、水分約５０ｗｔ％であって、このうちの不純物の含有量を、精製工程Ｓ１により、約４０ｗｔ％から５〜３０ｗｔ％まで減少させるのである。
【００４６】
ここで、前述の遠心機９では、支持台１０内に内蔵された電動モータの出力軸に連結された回転軸１２が、支持台１０上に連設された筒状の装置本体１１内に、立設した状態で挿通され、この回転軸１２に、円盤状の回転体１３の中心部が固設され、この回転体１３の外周部には、複数の有底筒状の沈殿管１４が取り付けられている。
【００４７】
そして、この沈殿管１４に、前述の圧搾機４で絞り出したサトウキビ搾汁７を、搾汁容器８から取り出して注入し、その後、支持台１０上の制御盤１５を操作して電動モータを駆動し、回転軸１２を高速で回転させると、沈殿管１４が、遠心力によって回転軸１２周りを回転しながら、その有底部側が上昇する。
【００４８】
すると、沈殿管１４内では、サトウキビ搾汁７が密度差によって、糖分、有効成分、水分を主体とする精製搾汁相と、不純物を主体とする不純物相とに短時間で分離される。そして、不純物相の分離が進んで精製搾汁相内の不純物含有量が５〜３０ｗｔ％まで減少すると、電動モータの駆動を停止させて沈殿管１４を引き出した後、粗いフィルタを使って沈殿管１４内の不純物を短時間でろ過するなどして精製搾汁１６のみを取り出してから、この精製搾汁１６を、図４に示す精製搾汁容器１７や、図５に示す搾汁タンク４５内に注入する。
【００４９】
これにより、非加熱処理では、加熱精製処理を施す場合とは異なり、精製工程Ｓ１中にサトウキビ搾汁７中の水分や有効成分が蒸発して外部へ多量に放出されることがなく、水分や有効成分を精製搾汁１６中に多く残留させることができる。なお、不純物含有量を適正範囲である５〜３０ｗｔ％に設定することにより、後で詳述するように、搾汁加熱工程Ｓ２において、蒸気発生時間をある程度確保した上で、泡の発生も充分に抑制することが可能となる。
【００５０】
更に、非加熱処理であっても、重力を利用した通常のろ過法や沈降分離法に比べ、遠心分離法では、極めて短時間で不純物を除去することができる。このため、サトウキビ搾汁７の各有効成分が酸化などによって劣化する前に、短時間で精製して次工程の搾汁加熱工程Ｓ２に移行することができ、サトウキビ搾汁７中の各種有効成分の特性を充分に引き出して、美容や健康改善の効果が充分に得られる。
【００５１】
しかも、遠心機の回転数や回転時間などを調整することにより、サトウキビ搾汁７中の不純物の除去率を著しく高めることができる。このため、従来の加熱精製処理では、不純物含有量が最小で３０ｗｔ％であったのに対し、遠心分離法により行うと、不純物含有量を５ｗｔ％まで減少させることができる。
【００５２】
搾汁加熱工程Ｓ２においては、例えば、図４に示すような加熱装置１８の上に精製搾汁容器１７を載置して精製搾汁１６を加熱することにより、サトウキビ搾汁７中に含まれる有効成分が水蒸気と一緒になった搾汁蒸気１９が生成される。
【００５３】
この際の加熱パターンには、図２（ａ）に示すように、沸点Ｔｂまで昇温して所定時間沸騰させる沸騰過程２０を有する１段加熱２７だけでなく、複数段の加熱も適用することができる。
【００５４】
例えば、図２（ｂ）に示すように、沸点Ｔｂよりも低い温度ＴＬまで昇温して所定時間加熱する低温加熱過程２１と、その後に沸点Ｔｂまで昇温して所定時間沸騰させる沸騰過程２２とを有する２段加熱２８や、図２（ｃ）に示すように、温度ＴＬまで昇温して所定時間加熱する第１低温加熱過程２３と、その後に沸点Ｔｂまで昇温して所定時間沸騰させる第１沸騰過程２４と、その後に温度ＴＬまで放冷して所定時間加熱する第２低温加熱過程２５、及び、その後に沸点Ｔｂまで再び昇温して所定時間沸騰させる第２沸騰過程２６とを有する４段加熱２９を適用することができる。
【００５５】
このように、沸点に達する前に、精製搾汁１６を沸点よりも低い所定温度ＴＬに保持する低温加熱過程２１、２３、２５を有する場合は、この低温加熱過程２１、２３、２５の間に、不純物が灰汁として集積し隔離されるため、精製搾汁１６内で泡の核となる不純物が減少し、浴温が上昇して沸騰状態である沸騰過程２２、２４、２６に移行しても泡の発生が抑制される。
【００５６】
蒸気噴霧工程Ｓ３においては、搾汁加熱工程Ｓ２で発生する搾汁蒸気１９を、高温のままで、図４に示すように全身、あるいは図５に示すように顔や肘などの部位に直接に浴びせることができる。
【００５７】
これにより、高温の水蒸気による温熱機能、水分補給機能、および成分吸収促進機能が充分に発揮された状態で、目的とする部位に各種有効成分を効率良く吸収させることができる。
【００５８】
次に、上述した蒸気浴方法で搾汁蒸気１９を生成する際の泡や搾汁蒸気１９の発生状況について調査した結果を、不純物含有量が多い場合や、加熱精製処理による場合などと比較しながら、図１乃至図３と表１によって説明する。
【００５９】
［サンプルの製造］
精製工程においては、図１に示すようにして、サトウキビ搾汁７を遠心機９の沈殿管１４（内容積２５０ｍｌ）に入れて、３００〜２０００ｒｐｍの間の回転速度で１０分間回転させることにより、種々の不純物含有量Ｄ（ｗｔ％）の精製搾汁１６を作製した。
【００６０】
なお、この不純物含有量Ｄ（ｗｔ％）は、遠心分離後に沈殿管１４を傾倒して流れ出た精製搾汁１６の重量Ｍｐ（ｇ）と、この精製搾汁１６をろ過したろ紙（ＪＩＳ  Ｐ３８０１の２種）への付着物（精製搾汁１６中の不純物に相当）の乾燥重量Ｍｆ（ｇ）とを測定し、両測定値を基に、式Ｄ＝（Ｍｆ／Ｍｐ）×１００によって、不純物含有量Ｄ（ｗｔ％）を算出した。
【００６１】
搾汁加熱工程においては、図２に示すような１段加熱２７（Ａタイプ）、２段加熱２８（Ｂタイプ）、４段加熱２９（Ｃタイプ）の３種の加熱パターンについて、各加熱過程における温度と時間を種々変更して精製搾汁１６を加熱した。
【００６２】
また、比較例として、遠心分離法で精製したものの、不純物含有量Ｄ（ｗｔ％）が適正範囲内にないもの（ａタイプ）と、従来の加熱精製処理で精製したもの（ｂタイプ）を準備した。
【００６３】
［測定方法］
これらＡ、Ｂ、Ｃ、ａ、ｂのタイプについて、吹きこぼれや飛散の原因となる発泡のしにくさ（以下、「難泡立ち性」とする）と、蒸気発生時間の長さ（以下、「蒸気持続性」とする）を評価した。
【００６４】
このうちの難泡立ち性は、泡発生量Ｖｂ（ｖｏｌ％）を測定し、その大小によって評価した。詳しくは、発生した泡の最大容積Ｖ１（ｍｌ）を測定すると共に、加熱が終わって時間とともに泡が完全に消滅した後の精製搾汁１６の液体としての容積Ｖ２（ｍｌ）を測定する。そして、この泡の容積Ｖ１、Ｖ２の測定値を基に、式Ｖｂ＝｛Ｖ１／（Ｖ１＋Ｖ２）｝×１００によって、泡発生量Ｖｂ（ｖｏｌ％）を算出した。
【００６５】
蒸気持続性は、蒸気発生時間ｔｓ（分）を測定し、その長短によって評価した。詳しくは、一度でも沸騰し始めて多量の搾汁蒸気１９が発生を開始してから、その発生が停止するまでに経過した時間を測定し、蒸気発生時間ｔｓ（分）とした。なお、蒸気発生の停止時期は、搾汁蒸気１９が視認できず、かつ搾汁蒸気１９特有の甘い香りが臭わなくなった時点とした。
【００６６】
［測定結果］
表１に、本発明例のＡタイプのサンプルＡ−１〜Ａ−６、ＢタイプのサンプルＢ−１〜Ｂ−７、ＣタイプのサンプルＣ、更に比較例のａタイプのサンプルａ−１〜ａ−３、ｂタイプのサンプルｂ−１とｂ−２について、各サンプルの製造条件と、泡発生量Ｖｂ、及び蒸気発生時間ｔｓの測定結果とを表１に示す。
【００６７】
【表１】
0006441845.tif 000002
【００６８】
本発明例のサンプルＡ−１〜Ａ−６と比較例のサンプルａ−１〜ａ−３とを比較すると、表１と図３に示すように、泡発生量Ｖｂについては、不純物含有量Ｄが３０ｗｔ％までは徐々に増加し、３０ｗｔ％を超えると急増する。これは、不純物含有量Ｄが３０ｗｔ％を超えると、不純物が核となって多量の泡が発生するのに加え、粗大な不純物によって発生する泡も大きくなるためと考えられる。
【００６９】
これに対し、蒸気発生時間ｔｓについては、不純物含有量Ｄが５ｗｔ％未満では非常に短く、５〜３０ｗｔ％までは徐々に増加していくが、３０％を超えると急減する。これは、不純物含有量Ｄが少なすぎると、浴表面の不純物由来の皮膜が少なくて水分や有効成分の蒸発が顕著であるが、５％ｗｔを超えると、ある程度の皮膜に浴表面が覆われて有効成分の蒸発が抑えられ、更に不純物含有量Ｄが３０ｗｔ％を超えると、前述の如く、泡発生量Ｖｂが過剰となって、泡が外に吹きこぼれたり、あるいは大きく弾けて飛散したりして、蒸気浴に寄与する精製搾汁１６中の水分や有効成分の残量が少なくなるためと考えられる。
【００７０】
すなわち、不純物含有量Ｄが５ｗｔ％未満では、泡の発生は抑制されるものの、浴表面の不純物由来の皮膜が少なくて水分や有効成分の蒸発が顕著となるため、蒸気発生時間が短い。一方、不純物含有量Ｄが３０ｗｔ％超えでは、不純物が核となって多量の泡が発生するのに加え、粗大な不純物によって発生する泡も大きくなり、これらの泡が精製搾汁１６を入れた精製搾汁容器１７の上端開口から吹きこぼれたり飛散したりして周囲を汚染すると共に、蒸気浴に寄与する精製搾汁１６中の水分や有効成分の残量が少なくなって、やはり蒸気発生時間ｔｓが短くなる。
【００７１】
つまり、精製搾汁１６の不純物含有量Ｄを５〜３０ｗｔ％とすることで、難泡立ち性、蒸気浴持続性のいずれも向上させることができるのである。
【００７２】
また、本発明例で１段加熱のサンプルＡ−４、２段加熱のサンプルＢ−１〜Ｂ−７、４段加熱のサンプルＣを比較すると、図２、表１に示すように、５０〜８０℃で３〜１０分の間保持する低温加熱過程２１、２３、２５を行うことにより、泡発生量Ｖｂが減少し、蒸気発生時間ｔｓもそれと一緒に若干減少する。
【００７３】
これは、低温加熱温度が５０℃未満では、灰汁の形成が充分ではなく、精製搾汁１６中に泡の核となる不純物が多く残存しており、泡の発生をそれほど抑制できない。一方、浴温が８０℃越えでは、熱対流による攪拌のために不純物の集積が充分には行われず、泡の核となる不純物が多く残存するため、同様に、泡の発生をそれほど抑制できないからと考えられる。
【００７４】
低温加熱保持時間が３分未満でも、灰汁の形成が充分ではなく、精製搾汁中に泡の核となる不純物が多く残存しており、泡の発生をそれほど抑制できない。一方、低温保持時間が１０分超えでは、形成された灰汁が成長して浴面の広範囲を覆い、沸騰の際に突沸などが起こって泡が発生しやすくなるからと考えられる。
【００７５】
つまり、低温加熱過程２１、２３、２５において、精製搾汁１６を５０〜８０℃で３〜１０分の間保持することで、蒸気浴持続性をある程度確保しつつ、難泡立ち性を更に向上させることができるのである。
【００７６】
また、本発明例のサンプルＡ−６と、比較例のサンプルａ−２、ｂ−１、ｂ−２を比較すると、表１に示すように、３５ｗｔ％前後の不純物含有量Ｄでは、遠心分離法と従来の加熱精製処理とでは泡発生量Ｖｂ、蒸気発生時間ｔｓともに大差ないが、３０ｗｔ％前後の不純物含有量Ｄでは、遠心分離法の蒸気発生時間ｔｓの方が従来の加熱精製処理に比べて充分に長い。これは、前述した如く、加熱精製処理を施す場合とは異なり、精製工程Ｓ１中にサトウキビ搾汁７中の水分や有効成分が蒸発して外部へ多量に放出されることがないため、水分や有効成分を精製搾汁１６中に多く残留させることができるためと考えられる。
【００７７】
次に、前述した蒸気浴プロセス１を実施可能な蒸気浴施設の一例である蒸気浴ハウス２について、図１、図４により説明する。
【００７８】
この蒸気浴ハウス２においては、建物本体３０で囲まれた空間内が、隔壁３１によって、前後の準備室３２と蒸気浴室３３とに画設されている。
【００７９】
このうちの準備室３２内には、前述の圧搾機４などによって絞り出されたサトウキビ搾汁７が搾汁容器８から移し替えられて運ばれてきた運搬容器３４と、前述したように精製工程Ｓ１で使用する遠心機９と、この遠心機９で精製し、サトウキビ搾汁７中の不純物含有量Ｄを初期の約４０ｗｔ％から５〜３０ｗｔ％まで減少させた精製搾汁１６を入れた精製搾汁容器１７を仮置きするための載置台３５とが、前から順に床面３０ａ上に配置されている。
【００８０】
そして、この載置台３５の上面には、平面視矩形状の案内板３６の前半部３６ａが固設され、この前半部３６ａの上に、前述の精製搾汁容器１７を仮置きするようにしている。更に、隔壁３１の下部には、正面視矩形状の開口部３１ａが形成され、この開口部３１ａの下部内縁３１ａ１上に、前述の案内板３６の後端縁３６ｂが載置固定されると共に、開口部３１ａの上部前面３１ａ２には、ヒンジ３７を介して、正面視矩形状の蓋板３８が前後回動可能に軸支されている。
【００８１】
一方、蒸気浴室３３内には、その前半部に、前述した搾汁蒸気１９を発生させるための蒸気発生装置４０が配置されている。この蒸気発生装置４０においては、蒸気浴室３３の床面３０ｂの前半部に、前述した加熱装置１８が配置され、この加熱装置１８上に、精製搾汁１６の入った精製搾汁容器１７を載置して加熱するための搾汁加熱区画３９が形成されている。
【００８２】
この搾汁加熱区画３９は、加熱装置１８の上面１８ａより立設され前壁部と上端部とが開放された角筒状の外周壁３９ａと、この外周壁３９ａの上端開口を覆うと共に利用者４１の指が挿入できない程度の網目の粗さの網体３９ｂとを有している。そして、これら外周壁３９ａと網体３９ｂとに囲まれた配置空間４４は、精製搾汁容器１７を挿入して載置可能な大きさに設定されており、この配置空間４４内に、精製搾汁１６の入った精製搾汁容器１７を収容する。更に、加熱装置１８の上面１８ａは、前述の案内板３６の上面３６ｃと略面一となるように設定されている。
【００８３】
このような構成において、蒸気浴ハウス２を使って蒸気浴を行う際には、まず、準備室３２内で、図示せぬ作業者が遠心機９を使ってサトウキビ搾汁７から精製搾汁１６を取り出した後、精製搾汁容器１７内に注ぎ入れ（精製工程Ｓ１に対応）、この精製搾汁容器１７を載置台３５上の案内板３６の前半部３６ａ上に載置する。
【００８４】
続いて、作業者が、ヒンジ３７を中心にして蓋板３８を前方に回動して開口部３１ａを開放した後、精製搾汁容器１７を、面一状態にある案内板３６の上面３６ｃから加熱装置１８の上面１８ａにかけて摺動させながら、開口部３１ａを通って搾汁加熱区画３９の内部まで移動させる。
【００８５】
その後、蒸気浴室３３内で、サトウキビ搾汁７を非加熱処理で精製して不純物含有量Ｄを５〜３０ｗｔ％とした精製搾汁１６を、加熱装置１８を使って加熱することにより、搾汁蒸気１９が発生し（搾汁加熱工程Ｓ２に対応）、網体３９ｂを通って蒸気浴室３３内に充満させるようにしている。
【００８６】
すなわち、隔壁３１に、開口部３１ａと、この開口部３１ａ開閉用の蓋体３８とを設け、この開口部３１ａを介して、精製搾汁１６を入れた精製搾汁容器１７を準備室３２から蒸気浴室３３の搾汁加熱区画３９内に移動可能とするので、精製搾汁容器１７を加熱するのに、作業者が精製搾汁容器１７を把持するなどして準備室３２から蒸気浴室３３まで運搬する必要がなく、作業負荷を軽減できると共に、手で把持するなどして運搬する間に、精製搾汁容器１７が誤って傾いて中の精製搾汁１６がこぼれたりすることがない。
【００８７】
更に、精製搾汁容器１７を収容する搾汁加熱区画３９を、精製搾汁容器１７内の精製搾汁１６から発生する搾汁蒸気１９が通過可能な網体３９ｂで覆うので、精製搾汁１６を加熱中に、利用者４１が、加熱中で高温の精製搾汁１６や搾汁蒸気１９に、誤って直接触れることがなく、利用者４１の蒸気浴をより快適なものにすることができる。
【００８８】
また、蒸気浴室３３内の後半部には、その後側壁３０ｃの下部に沿って、利用者４１が座る椅子４２が配置され、この椅子４２と前述の加熱装置１８との間の床面３０ｂ上には、簀の子などの足置き４３が配置されている。
【００８９】
これにより、蒸気発生装置４０により、精製搾汁１６中に含まれる有効成分が水蒸気と一緒になった搾汁蒸気１９が生成され、蒸気浴室３３により、この搾汁蒸気１９を、高温のままで、蒸気浴室３３内に待機している利用者４１の全身に万遍なく浴びせる（蒸気噴霧工程Ｓ３に対応）ことができるため、高温の水蒸気による温熱機能、水分補給機能、および成分吸収促進機能が充分に発揮された状態で、利用者４１の全身から各種有効成分を効率良く吸収させることができる。
【００９０】
次に、前述した蒸気浴プロセス１が実施可能な蒸気浴装置の一例である美顔器３について、図５，図６により説明する。
【００９１】
この美顔器３は、サトウキビ搾汁７を非加熱処理で精製して不純物含有量Ｄを５〜３０ｗｔ％とした精製搾汁１６と、それを貯溜する搾汁タンク４５と、この搾汁タンク４５内の精製搾汁１６を加熱する搾汁加熱ユニット４６と、この搾汁加熱ユニット４６により発生した搾汁蒸気１９を所定位置に向けて噴霧する蒸気噴霧ユニット４７とを備えている。
【００９２】
このうちの精製搾汁１６は、前述した精製工程Ｓ１によって得られたものであり、非加熱処理である遠心分離法を使って、サトウキビ搾汁７中の不純物含有量Ｄを初期の約４０ｗｔ％から５〜３０ｗｔ％まで減少させたものである。
【００９３】
また、搾汁タンク４５は、有底筒状で精製搾汁１６を貯溜可能なタンク本体４５ａと、このタンク本体４５ａの上端開口４５ａ１を閉塞可能な蓋体４５ｂとを有している。
【００９４】
そして、この蓋体４５ｂの上面には、側面視で上下逆Ｕ字状の取っ手４５ｂ１が左右に固設されており、この取っ手４５ｂ１を手で把持して蓋体４５ｂを持ち上げてから、上端開口４５ａ１よりタンク本体４５ａ内に精製搾汁１６を注入できるようにしている。
【００９５】
また、搾汁加熱ユニット４６は、装置台５１上に配置されると共に、前述の搾汁タンク４５を上面に載置して加熱する加熱部４８と、この加熱部４８から搾汁タンク４５にかけて側面を覆うように周設された上端開放の筐体部４９と、この筐体部４９の背面右側に固設されたボックス状の制御部５０とを有している。
【００９６】
この制御部５０には、加熱部４８への電力供給を断接する電源スイッチ５２や、搾汁タンク４５の加熱温度を変更する加熱ダイヤル５３や、加熱時間などを変更するタイマーダイヤル５４が設けられており、電源スイッチ５２を入れてからダイヤル５３、５４を回すことで、搾汁タンク４５内の精製搾汁１６の温度や加熱時間などを制御できるようにしている。
【００９７】
また、蒸気噴霧ユニット４７は、前述の搾汁タンク４５内で発生する搾汁蒸気１９を利用者４１の方に導いて噴霧する蒸気ガイド５５と、蒸気ガイド５５の蒸気吹き出し口５５ｃ１から利用者４１の頭部４１ａにかけて覆うことで、顔４１ａ１周りに搾汁蒸気１９を充満させる被覆カバー５６とを有している。
【００９８】
そして、蒸気ガイド５５において、搾汁タンク４５の蓋体４５ｂの平面視略中央部からは、下端が搾汁タンク４５内に連通する第１筒部５５ａが立設され、この第１筒部５５ａの上端から後斜め上方に向かって、第２筒部５５ｂが延設され、この第２筒部５５ｂの上端には、短筒状で先端が拡開して前述の蒸気吹き出し口５５ｃ１が形成された吹き出し部５５ｃが、顔４１ａ１の直前近傍まで延設されている。そして、これら搾汁タンク４５内から第１筒部５５ａ、第２筒部５５ｂ、吹き出し部５５ｃにかけて連通されるようにして、搾汁蒸気１９が通過する通気路５５ｄが形成されている。
【００９９】
これにより、搾汁タンク４５内で発生した搾汁蒸気１９は、この通気路５５ｄを通って利用者４１の顔４１ａ１まで導かれた後、蒸気吹き出し口５５ｃ１から顔４１ａ１に向けて噴霧される。
【０１００】
更に、被覆カバー５６は、利用者４１の頭部４１ａを覆うカバー本体６７と、このカバー本体６７を待機位置６９から使用位置７０を経て保守位置７１まで平行移動させる平行リンク機構６８とを有している。
【０１０１】
このうちのカバー本体６７は、前カバー部６７ａと、この前カバー部６７ａ内に収納可能な後カバー部６７ｂとから構成されている。
【０１０２】
そして、前カバー部６７ａは、側面視で中心角略９０度の扇形形状であって互いに平行な左右の側板６７ａ１、６７ａ１と、これら側板６７ａ１、６７ａ１の円弧部分間に横架される外周板６７ａ２とから形成され、同様に、後カバー部６７ｂも、側面視で中心角略９０度の扇形形状であって互いに平行な左右の側板６７ｂ１、６７ｂ１と、これら側板６７ｂ１、６７ｂ１の円弧部分間に横架される外周板６７ｂ２とから形成される。
【０１０３】
更に、前カバー部６７ａの側板６７ａ１の内側から後カバー部６７ｂの側板６７ｂ１が当接された上で、連結軸７４が左右方向に挿通され、後カバー部６７ｂが左右の連結軸７４、７４を中心にして矢印７５に示すように前後回動可能に構成されており、後カバー部６７ｂが前カバー部６７ａ内に収納されて利用者４１の顔４１ａ１のみがカバー本体６７によって覆われる収納位置７２と、後カバー部６７ｂと前カバー部６７ａとによって利用者４１の頭部４１ａが前後から覆われるフルカバー位置７３との間を、後カバー部６７ｂが回動できるようにしている。
【０１０４】
平行リンク機構６８は、前述した搾汁加熱ユニット４６の筐体部４９における左右の側板４９ａの側面視略中央に、基端が第１支軸５７を介して前後回動可能に軸支される中間リンク部７６と、この中間リンク部７６の先端が途中部に連結されると共に、側板４９ａで第１支軸５７よりも後斜め上方の位置に、基端が第２支軸５８を介して前後回動可能に軸支されるメインリンク部７７とから構成されている。
【０１０５】
そして、中間リンク部７６は、基端が第１支軸５７に軸支される中間第１アーム５９と、この中間第１アーム５９の先端に第１関節部６３を介して基端が前後回動可能に連結される中間第２アーム６０とから形成されている。一方、メインリンク部７７は、基端が第２支軸５８に軸支されると共に、途中部が中間第２アーム６０の先端に第２関節部６４を介して前後回動可能に連結されるメイン第１アーム６１と、このメイン第１アーム６１の先端に第３関節部６５を介して基端が前後回動可能に連結されるメイン第２アーム６２とから形成されている。
【０１０６】
更に、このメイン第２アーム６２の先端は、前述のカバー本体６７の前カバー部６７ａの両側板６７ａ１、６７ａ１に、第３支軸６６を介して前後回動可能に軸支されている。そして、第２支軸５８、第１関節部６３、第３関節部６５、及び第３支軸６６のいずれも、回動して部材間を締結可能なノブ構造を有しており、各アーム５９、６０、６１、６２とカバー本体６７を所定姿勢で固定できるようにしている。
【０１０７】
このような構成において、美顔器３を使って蒸気浴を行う際には、まず、利用者４１が、前述の蓋体４５ｂと蒸気ガイド５５とを上から覆うようにして待機位置６９にあるカバー本体６７を、手で把持して前斜め上方に引き上げ、前述の平行リンク機構６８によって使用位置７０まで平行移動させる。
【０１０８】
続いて、利用者４１が、取っ手４５ｂ１を把持して蓋体４５ｂを持ち上げて上端開口４５ａ１を開放した後、サトウキビ搾汁７中の不純物含有量Ｄを初期の約４０ｗｔ％から５〜３０ｗｔ％まで減少させた精製搾汁１６を、上端開口４５ａ１から搾汁タンク４５のタンク本体４５ａ内に注入する。
【０１０９】
その後、取っ手４５ｂ１を把持して蓋体４５ｂを閉めてから、搾汁加熱ユニット４６の制御部５０を操作し、搾汁タンク４５内の精製搾汁１６を所定の温度と時間で加熱する（搾汁加熱工程Ｓ２に対応）。すると、搾汁タンク４５内で発生した搾汁蒸気１９が蒸気噴霧ユニット４７の蒸気ガイド５５を通って利用者４１の顔４１ａ１に向けて噴霧される（蒸気噴霧工程Ｓ３に対応）。
【０１１０】
蒸気浴が終わったり、あるいは蒸気浴途中で搾汁タンク４５内に精製搾汁１６を補充する場合は、利用者４１は、使用位置７０にあるカバー本体６７を、手で把持して前斜め上方に引き上げ、前述の平行リンク機構６８によって保守位置７１まで平行移動させながら、利用者４１は頭部４１ａをカバー本体６７から抜き出す。
【０１１１】
その後、カバー本体６７を手で把持して前斜下方に引き下げて初期の待機位置６９まで平行移動させたり、取っ手４５ｂ１を把持して蓋体４５ｂを持ち上げてから上端開口４５ａ１よりタンク本体４５ａ内に精製搾汁１６を注入する。
【０１１２】
これにより、搾汁タンク４５により、精製搾汁１６をある程度で密閉された状態で貯溜するようにして酸化などによる有効成分の劣化を防止した上で、搾汁加熱ユニット４６により、サトウキビ搾汁７中に含まれる有効成分が水蒸気と一緒になった搾汁蒸気１９を生成し、蒸気噴霧ユニット４７により、この搾汁蒸気１９を、高温のままで顔や肘などの所定の部位に集中的に浴びせるため、高温の水蒸気による温熱機能、水分補給機能、および成分吸収促進機能が充分に発揮された状態で、目的とする部位に各種有効成分を効率良く吸収させることができる。
【０１１３】
更に、蒸気噴霧ユニット４７は、前述の如く、カバー本体６７を待機位置６９から使用位置７０を経て保守位置７１まで平行移動させる平行リンク機構６８を有するので、待機位置６９にて搾汁タンク４５と蒸気ガイド５５とを上から被せるようにして覆うことで、搾汁タンク４５の上端開口４５ａ１と蓋体４５ｂとの間の隙間や、蒸気ガイド５５の蒸気吹き出し口５５ｃ１から、冷たい外気や塵挨が搾汁タンク４５内に侵入するのを抑制することができ、浴温低下による搾汁蒸気１９の発生量の減少や、精製搾汁１６内の不純物含有量Ｄ増加による泡発生量の増加を防止することができる。
【０１１４】
加えて、蒸気噴霧ユニット４７は、前述の如く、前カバー部６７ａから後カバー部６７ｂをフルカバー位置７３まで回動し、利用者４１の頭部４１ａ全体をカバー本体６７で覆う構成とするので、搾汁蒸気１９を広げた状態のカバー本体６７内に充満させることができ、顔４１ａ１だけでなく頭髪４１ａ２やその頭皮まで搾汁蒸気１９を浴びせることができる。
【０１１５】
なお、以上のような蒸気浴プロセス１、蒸気浴ハウス２、及び美顔器３で使用した精製搾汁１６は、蒸気浴後に室温で所定時間冷却した後は、糖度がＢｒｉｘ値で１２〜１５％から８０％前後まで上昇して、美容や健康改善に有効な糖蜜として利用することができる。
【０１１６】
以上のように、本発明を適用した蒸気浴方法、蒸気浴施設、および蒸気浴装置は、サトウキビ搾汁を使用した蒸気浴が、周囲を汚すことなく長時間安定して行えるものとなっている。
【符号の説明】
【０１１７】
１  蒸気浴プロセス（蒸気浴方法）
２  蒸気浴ハウス（蒸気浴施設）
３  美顔器（蒸気浴装置）
７  サトウキビ搾汁
１６  精製搾汁
１９  搾汁蒸気
２１・２３・２５  低温加熱過程
３３  蒸気浴室
４０  蒸気発生装置
４１  利用者
４５  搾汁タンク
４６  搾汁加熱ユニット
４７  蒸気噴霧ユニット
Ｄ  不純物含有量
Ｓ１  精製工程
Ｓ２  搾汁加熱工程
Ｓ３  蒸気噴霧工程
Ｔｂ  沸点
ＴＬ  所定温度
【図１】
0006441845.tif 000003
【図２】
0006441845.tif 000004
【図３】
0006441845.tif 000005
【図４】
0006441845.tif 000006
【図５】
0006441845.tif 000007
【図６】
0006441845.tif 000008